(57)【要約】【課題】  丸いセパレータでも、破断することなく容易に折り曲げることができるセパレータ締結具と、この締結具用の軸を提供する。【解決手段】  本発明のセパレータ締結具用軸は、一方にフォームタイ２０の雌ネジ２１と螺合する雄ネジ１１を有し、他端に棒状のセパレータ３０の端部に形成された雄ネジ３１と螺合する雌ネジ１２を有し、該雌ネジ１２の入口側に、前記セパレータ３０の軸部３２が収容される広径部１３を備えたものである。セパレータ締結具用軸１０の雌ネジ１２にセパレータ３０の雄ネジ３１を螺合し、折り曲げると、必ず軸部で曲がるので、セパレータ３０に亀裂が入ったり、切断することがない。【選択図】      図３
2007126959.tif 000002
【特許請求の範囲】
【請求項１】
一方にフォームタイの雌ネジと螺合する雄ネジを有し、他端に棒状のセパレータの端部に形成された雄ネジと螺合する雌ネジを有し、該雌ネジの入口側に、前記セパレータの軸部が進入可能な広径部を備えたことを特徴とするセパレータ締結具用軸。
【請求項２】
両端に形成された雌ネジと、一方の雌ネジの入口側に形成されて前記セパレータの軸部が進入可能な広径部とを有する第１の軸体と、該第１の軸体の他方の雌ネジと螺合する雄ネジを一端に有し、他端にフォームタイの雌ネジと螺合する雄ネジを有し、両雄ネジの中間に両雄ネジより大径で型枠パネルに圧接可能な押圧面を備えた第２の軸体と、を有することを特徴とするセパレータ締結具用軸。
【請求項３】
両端に形成された雌ネジと、一方の雌ネジの入口側に形成されて前記セパレータの軸部が進入可能な広径部とを有する第１の軸体と、該第１の軸体の他方の雌ネジと螺合する雄ネジを一方端に有し、他方端にフォームタイの雌ネジと螺合する雄ネジを有する雄ネジ軸と、該雄ネジ軸と別個に形成され雄ネジ軸と一体結合し、型枠パネルに圧接可能な押圧面を有する軸本体とを備えた第２の軸体と、を有することを特徴とするセパレータ締結具用軸。
【請求項４】
両端に形成された雌ネジと、一方の雌ネジの入口側に形成されて前記セパレータの軸部が進入可能な広径部と、他方の雌ネジの入口側に形成された押圧面とを備えた軸本体と、前記他方の雌ネジと螺合する雄ネジを一端に有し、フォームタイの雌ネジと螺合する雄ネジを他端に有する雄ネジ軸と、を有することを特徴とするセパレータ締結具用軸。
【請求項５】
前記雄ネジがフォームタイの雌ネジと固く螺合して前記押圧面が型枠パネルに圧接することによって、型枠パネルに垂直な方向に対して交差する方向に折り曲げられたセパレータに加わる引張力に対抗可能としたことを特徴とする請求項２から４のいずれかに記載のセパレータ締結具用軸。
【請求項６】
請求項１から５のいずれかに記載のセパレータ締結具用軸を嵌装し、型枠パネルに圧接可能な押圧面を有することを特徴とするセパレータ締結具。
【請求項７】
先端にセパレータ締結具と螺合する雄ネジを有し、該雄ネジとセパレータの軸部との間にテーパー部を有することを特徴とするセパレータ。
【請求項８】
セパレータ締結具のフォームタイと螺合する雄ネジが貫通する孔を備え、該孔に前記雄ネジを貫通してフォームタイと堅く螺合することで前記セパレータ締結具の圧接面が圧接して固定される型枠パネルにおいて、前記孔と重なる貫通孔を有し、前記セパレータ締結具の圧接面より大きな面積を有する補強板を、取り付けたことを特徴とする型枠パネル。
【発明の詳細な説明】
【技術分野】
【０００１】
本発明は、コンクリートの型枠を組み立てる際に使用するセパレータと、セパレータを固定するプラコン（あるいは「ピーコン」）などのセパレータ締結具と、その軸及びセパレータに関する。
【背景技術】
【０００２】
型枠形成工事においては、平行に向かい合って配置された２つの型枠パネルの間に、型枠パネル同士の間隔を所定の間隔に保持するためのセパレータを取り付けるのが一般的である。セパレータは、型枠パネルに固定されたプラコンなどのセパレータ締結具に端部が固定される。このセパレータは型枠組み立て時に型枠パネルの間隔を一定に保持するのと同時に、型枠内にコンクリートを打設した時にコンクリートの圧力で間隔が広がらないようにする役割もある。このようなセパレータは金属製の円い棒状であり、直線状であるため、対向する型枠パネル間でのみ使用可能で、出隅と呼ばれる型枠のコーナー部分など、型枠パネルが直角に配置されていたり、傾斜して配置されていたりして平行ではない型枠パネルには取りつけることができない。直角に配置された型枠パネルを固定するものとして、特許文献１（特開平９−３１７１７５号）では、チェーンとターンバックルを用いる固定方法を提案している。
【０００３】
また、一方の型枠パネルが傾斜して楔型の空間を形成する型枠パネルを固定する方法としては、特許文献２（特開２００４−１２４５７２号）の従来例の中で説明しているような、固定方法があった。これは、一方の型枠パネルに直交プラコンを取り付け、他方の型枠パネルには自在プラコンを取り付け、両プラコンの間にセパレータを架設する構成としている。自在プラコンの方は、型枠パネルとの結合が不安定になるので、キャンバを入れてセパレータと直交するように保持する。
【０００４】
しかし、特許文献１に記載のような出隅の固定方法では、チェーンやターンバックルといった余計な道具と、それを取り付けるための余計な手間が必要となっていた。すなわち、チェーンによる固定は充分な強度を得るために、１枚の型枠パネルに３ヶ所から４ヶ所行う必要があるのだが、建築物等の型枠では、出隅が複数箇所あり、さらに高さ方向に複数の型枠パネルを繋げるため、チェーンによる固定個所は全部で数十ヶ所にも及ぶ。その取り付け作業にかかる時間は、型枠組み立てにかかる全作業時間の中で大きな割合を占めており、この無駄な材料と手間が作業量及び作業時間の増加を招き、工事コストが増大する。
【０００５】
また、特許文献２の従来例にある方法では、自在プラコン、自在ワッシャやキャンバといった特殊な材料が必要となり、これが工事コストの増加につながっている。
【０００６】
そこで、特許文献２では、セパレータの雄ネジ端のそばに窪みを形成したものと、軸心の一方に肉厚部を有するプラコンを使用する構成を提案している。セパレータの雄ネジをプラコンの軸心に形成された雌ネジにねじ込み、窪みの部分で折り曲げることで、容易にセパレータを所望の角度に折り曲げて使用することができる。このような横引きプラコンと窪みのあるセパレータを使用することで、従来複雑な構成となっていた出隅などでの型枠の保持が簡単にできるようになった。
【特許文献１】特開平９−３１７１７５号公報
【特許文献２】特開２００４−１２４５７２号公報
【発明の開示】
【発明が解決しようとする課題】
【０００７】
しかしながら、特許文献２では、セパレータを任意の角度に折り曲げるために、セパレータに窪みを形成する必要がある。窪みを形成しないセパレータを折り曲げると、セパレータの雄ネジの付け根のネック部で曲がり、セパレータが破断するおそれがあるからである。
【０００８】
そのため、セパレータの製造に加えて、窪みを形成する装置と、窪みを形成する工程とが余分に必要となる。また、窪みのあるセパレータと、窪みのないセパレータとに分けておく必要もあり、セパレータの在庫管理が複雑になる。
【０００９】
また、型枠パネルは、繰り返し使用されるものであるが、同じ位置にプラコンを取り付けて使用している。そのために、繰り返し使用しているうちに、プラコンと当たる部分が摩耗したり、凹んだりして弱くなり、プラコンをセパレータで引張ると、型枠パネルの弱くなった部分が膨らみ、型枠パネル間の距離を正確に決められなくなるという問題もあった。
【００１０】
本発明は、このような事情から考えられたもので、窪みのないセパレータでも、破断することなく容易に折り曲げることができるセパレータ締結具と、それに使用する軸を提供しようとするものである。また、折り曲げたとき、破断しにくいセパレータを提供することを目的としている。さらに、繰り返し使用しても損傷の少ない型枠パネルを提供することを目的としている。
【課題を解決するための手段】
【００１１】
上記の目的を達成するために本発明のセパレータ締結具用軸は、一方にフォームタイの雌ネジと螺合する雄ネジを有し、他端に棒状のセパレータの端部に形成された雄ネジと螺合する雌ネジを有し、該雌ネジの入口側に、前記セパレータの軸部が進入可能な広径部を備えたことを特徴とする特徴としている。
【００１２】
前記雌ネジの外側に角柱部を有し、前記広径部の外側が前記角柱より径の大きな円柱で、該円柱が、セパレータ締結具用軸の端部側で丸くなっている構成としたり、前記角柱と円柱とが、前記フォームタイの雌ネジと螺合する雄ネジの先端側に向かって細くなるテーパーを有する構成としたりすることができる。
【００１３】
または、両端に形成された雌ネジと、一方の雌ネジの入口側に形成されて前記セパレータの軸部が進入可能な広径部とを有する第１の軸体と、該第１の軸体の他方の雌ネジと螺合する雄ネジを一端に有し、他端にフォームタイの雌ネジと螺合する雄ネジを有し、両雄ネジの中間に両雄ネジより大径で型枠パネルに圧接可能な押圧面を備えた第２の軸体と、を有することを特徴としている。
【００１４】
又は、両端に形成された雌ネジと、一方の雌ネジの入口側に形成されて前記セパレータの軸部が進入可能な広径部とを有する第１の軸体と、該第１の軸体の他方の雌ネジと螺合する雄ネジを一方端に有し、他方端にフォームタイの雌ネジと螺合する雄ネジを有する雄ネジ軸と、該雄ネジ軸と別個に形成され雄ネジ軸と一体結合し、型枠パネルに圧接可能な押圧面を有する軸本体とを備えた第２の軸体と、を有することを特徴としている。
【００１５】
又は、両端に形成された雌ネジと、一方の雌ネジの入口側に形成されて前記セパレータの軸部が進入可能な広径部と、他方の雌ネジの入口側に形成された押圧面とを備えた軸本体と、前記他方の雌ネジと螺合する雄ネジを一端に有し、フォームタイの雌ネジと螺合する雄ネジを他端に有する雄ネジ軸と、を有することを特徴としている。
【００１６】
また、前記雄ネジがフォームタイの雌ネジと固く螺合して前記押圧面が型枠パネルに圧接することによって、型枠パネルに垂直な方向に対して交差する方向に折り曲げられたセパレータに加わる引張力に対抗可能としたことを特徴としている。
【００１７】
本発明のセパレータ締結具は、前記いずれかのセパレータ締結具用軸を備えていることを特徴としている。
【００１８】
本発明のセパレータは、先端にセパレータ締結具と螺合する雄ネジを有し、該雄ネジとセパレータの軸部との間にテーパー部を有することを特徴としている。
【００１９】
本発明の型枠パネルは、セパレータ締結具のフォームタイと螺合する雄ネジが貫通する孔を備え、該孔に前記雄ネジを貫通してフォームタイと堅く螺合することで前記セパレータ締結具の圧接面が圧接して固定される型枠パネルにおいて、前記孔と重なる貫通孔有し、前記セパレータ締結具の圧接面より大きな面積を有する補強板を、取り付けたことを特徴としている。
【発明の効果】
【００２０】
本発明のセパレータ締結具用軸は、セパレータの雄ネジと螺合する雌ネジの入口側に、セパレータの軸部が進入可能な広径部を備えたので、この雌ネジにセパレータの雄ネジを螺合すると、セパレータの雄ネジと共に、セパレータの軸部の先端も広径部に入る。この状態でセパレータを折り曲げると、セパレータは必ず軸部で折れ曲がるので、破断することなく折り曲げることができるという優れた効果を奏し得る。
【００２１】
セパレータの雄ネジと軸部との間にネック部がある場合でも、広径部に軸部が入るようにすることで、ネック部が曲がることを防止でき、セパレータを折り曲げたときセパレータが破断するのを防止することができる。
【００２２】
雌ネジの外側が角柱であれば、コンクリート打設後にセパレータ締結具とセパレータ締結具用軸を取り出す際に、スパナなどで回して外し易くなる。広径部の外側が円柱で、先端が丸くなっていると、打設されたコンクリートから抜き出し易い。角柱や円柱にテーパを付けることで、セパレータ締結具用軸をセパレータ締結具から外し易くなる。
【００２３】
セパレータ締結具用の軸に、大径で型枠パネルに圧接可能な押圧面を設けた構成にすると、セパレータを曲げる際の力をこの押圧面で受けることができ、厚肉部のないセパレータ締結具でもセパレータを曲げることができる。また、セパレータ締結具用軸の雄ネジにフォームタイの雌ネジを螺合し、固く締め付けることによって、セパレータに斜め方向の引張力が加わっても、前記の押圧面でこの斜め方向の引張力に対抗することができる。
【００２４】
先端の雄ネジとネジの無い部分との間にテーパー部を形成すると、セパレータの引張力を低下させることなくセパレータを折り曲げ易くすることができる。また、ネック部が無くなることから、セパレータを曲げても、セパレータが折損することがなくなるので、セパレータ締結具用軸に広径部を形成しなくても、セパレータを折り曲げることが可能となる。
【００２５】
プラコンなどのセパレータ締結具の雄ネジを挿通するために、型枠パネルに孔を開けるが、この型枠パネルは繰り返し使用される。そのため、型枠パネルのセパレータ締結具と接触する部分が損傷して弱くなるが、補強板を取り付けておくことで、型枠パネルの損傷を防止することができる。
なお、補強板については、型枠パネルに大きな孔を開けたとき、又は型枠パネルの表面に傷ついたときなどに、型枠パネルに張り付けて補修することができる。
【発明を実施するための最良の形態】
【００２６】
以下、本発明の実施の形態を添付図面を参照して説明する。
【００２７】
図１は本発明のセパレータ締結具用軸の第１実施例を示す図で、（ａ）は上面図、（ｂ）は正面図である。図２は、セパレータの一端側を示す正面図、図３はプラコン又はピーコンと呼称されるセパレータ締結具と、このセパレータ締結具用軸の使用状態を示す一部破断図である。
【００２８】
セパレータ締結具用軸１０は、フォームタイ２０の雌ネジ２１に螺合する雄ネジ１１を一端に有し、他端側には、セパレータ３０の雄ネジ３１に螺合する雌ネジ１２を有する。雌ネジ１２には、セパレータ３０の軸部３２が入る広径部１３がつながり、この広径部１３がセパレータ締結具用軸１０の他端側の開口となっている。雌ネジ１２の外側は、２つに別れ、下側が六角形の角柱１４ａで、上側はテーパーが付いた円柱１４ｂである。広径部１３の外側も円柱１５で、その上端１５ｂは丸くなっている。また、円柱１５の下部１５ａには、円柱１４ｂと同じ方向で同じ角度のテーパーがついている。
【００２９】
セパレータ３０は先端に雄ネジ３１があり、この雄ネジ３１と軸部３２との間には、径の細くなったネック部３３がある。雄ネジ３１とネック部３３とは、ともに転造により形成されている。また、セパレータ３０は、軸部３２の径が同じであれば、雄ネジ３１の軸方向の長さは、どのセパレータ３０でも同じ長さになっているので、セパレータ締結具用軸１０に形成される雌ネジ１２の深さを、セパレータ３０の雄ネジ３１より若干深くして、雄ネジ３１を根本までねじ込むことができるようにする。
【００３０】
セパレータ締結具用軸１０の広径部１３の深さＳ１は、セパレータ３０のネック部３３の長さＳ２より若干長くなっている。したがって、ネック部３３は、必ず、その全体が広径部１３に収容されるようになる。セパレータ３０の軸部３２の径が７ｍｍで、ネック部３３の長さＳ２が３ｍｍの場合、広径部１３の深さＳ１は、５〜１０ｍｍ程度あればよい。５ｍｍ以下では、ネック部３３が曲がって亀裂が入ったり、破断する可能性があり、１０ｍｍを越えると、セパレータ３０を曲げるとき、セパレータ締結具用軸１０に加わる曲げモーメントが大きくなり、セパレータ締結具用軸１０を曲げてしまう可能性があるからである。
【００３１】
図４は、セパレータ締結具４０の図で、セパレータ締結具本体４１にセパレータ締結具用軸１０を装着した状態の平面図である。セパレータ締結具本体４１は、特許文献２に記載された横引き固定プラコンとほぼ同じものであり、セパレータ締結具用軸１０の中心Ｏからセパレータ締結具本体４１の端部までの距離は、左側をＬ１、右側をＬ２としたとき、Ｌ１＜Ｌ２となり、Ｌ２側が厚肉部となるようになっている。また、セパレータ締結具本体４１の円柱１４ｂが貫通する孔は、円柱１４ｂが隙間無く収容されるように、テーパーが付いている。
【００３２】
また、木ねじ用孔が、特許文献２のものは片側だけに２カ所であるが、本発明のセパレータ締結具本体４１には、中心の周りの３カ所に貫通孔４２があり、型枠パネル５１に３本の木ねじ等で固定し、セパレータ締結具４０を型枠パネル５１に強力に固定することができるようになっている。
【００３３】
次に、セパレータ３０の曲げ方を図３により説明する。なお、以下の手順は一例に過ぎず、状況により変化させたり、順序を前後させてもよい。まず、型枠パネル５１の所定の位置に孔５１ａを穿設する。セパレータ締結具本体４１にセパレータ締結具用軸１０を装着したセパレータ締結具４０を用意し、セパレータ締結具用軸１０の雄ネジ１１を孔５１ａに差し込む。そして、３カ所の貫通孔４２に木ねじを挿通し、型枠パネル５１にねじ込んで固定する。
【００３４】
次に、フォームタイ２０の雌ネジ２１をセパレータ締結具用軸１０の雄ネジ１１に螺合し、締め付ける。これによって、セパレータ締結具４０は型枠パネル５１に強力に固定されることになる。
【００３５】
次に、型枠パネル５１を保持する成形用の丸いパイプ５２，５２をフォームタイ２０の両側に配置し、座金２３で押さえ、雄ネジ２２に六角ナット２４を螺合し、締め付ける。
【００３６】
次に、セパレータ３０の一方端の雄ネジ３１をセパレータ締結具用軸１０の雌ネジ１２に螺合する。セパレータ３０の雄ネジ３１がねじ込まれてネック部３３が広径部１３に入ったのが確認できたら、セパレータ３０を図３に示すように曲げる。ネック部３３が広径部１３に入っているので、ネック部３３で曲がることがなく、セパレータ３０が折り曲げによって折損することはない。曲げる方向は、厚肉部Ｌ２の方に曲げると、セパレータ締結具４０の抵抗力が大きくなり、曲げ易く、セパレータ締結具４０の損傷も生じないのでよい。
【００３７】
また、セパレータ締結具用軸１０の上端の円柱１５がセパレータ締結具４０の上面４１ａより上方に突出していると、セパレータ３０を曲げ易くなる。
【００３８】
セパレータ３０の他端は、別の型枠パネルに固定されたセパレータ締結具のセパレータ締結具用軸の雌ネジと螺合して固定される。この他方側のセパレータ締結具とセパレータ締結具用軸は、本発明のセパレータ締結具４０でもよいが、従来のセパレータ締結具用軸を装着した従来のセパレータ締結具でもよい。
【００３９】
図５は、本発明のセパレータ締結具とセパレータ締結具用軸を型枠パネルに使用した状態を示す上面図である。図５で示すようなＬ型のコーナーがある型枠を組み立てる場合は、次のような手順で行う。
【００４０】
まず、型枠パネル５１４の所定の位置に孔を穿け、セパレータ締結具４０の軸１０を挿通して向きを合わせ、雄ネジ１１にフォームタイ２０の雌ネジ２１を螺合して固定する。次に３個の貫通孔４２に木ネジまたは釘を挿通してセパレータ締結具４０を型枠パネル５１４に固定する。次に、セパレータ締結具用軸１０にセパレータ３０をねじ込み、前述したようにして折り曲げて図３に示すような形に形成する。セパレータ３０は長さの違いによって数種類あるので、目的に合った長さのセパレータ３０を使用する。通常、型枠パネル５１１と型枠パネル５１４との間には幅が６００ｍｍの型枠パネルを型枠パネル５１２，５１３のように２枚から３枚挟むように組み立てるので、セパレータ３０は２ｍ程度の長さが必要となる。このように複数枚の型枠パネルを間に挟むのは、型枠パネル５１１がセパレータ３０を引く力によって型枠パネル５１４が型枠パネル５１１の方向へ引っ張られるため、その間にある型枠パネル５１２，５１３が密着しコンクリートの漏れを防ぐことができるためである。
【００４１】
なお、セパレータ３０を曲げるためのスペースが型枠内では確保できない場合は、広い場所で別の型枠パネル等に横引きセパレータ締結具４０を固定し、ここで折り曲げておいてもよい。予め曲げておいたセパレータ３０を、型枠パネル５１４のセパレータ締結具４０に取り付けるときは、セパレータ締結具４０からセパレータ締結具用軸１０を外し、セパレータ３０の雄ネジ３１にこのセパレータ締結具用軸１０をねじ込んでからセパレータ締結具本体４１にセパレータ締結具用軸１０を装着し、その後、フォームタイ２０を螺合すればよい。
【００４２】
セパレータの折り曲げ位置は、セパレータ３０を引っ張る力に耐えるために、できるだけセパレータ締結具４０に近いところが望ましいが、前記の折り曲げ方法によれば、必ず、セパレータ締結具４０に近い位置で折れ曲がることになる。もし、折り曲げ位置がセパレータ締結具４０から離れたところ、すなわちセパレータ３０の中央付近に形成されていると、セパレータ３０は横に引く力に耐えられずにセパレータ締結具４０の付近から折れ曲がり、型枠パネル固定の役割を果たさなくなってしまう。
【００４３】
セパレータ３０の反対側の雄ネジ３１には、従来の直交セパレータ締結具４０’をねじ込む。直交セパレータ締結具４０’は、セパレータ締結具４０においてＬ１＝Ｌ２としたもので、厚肉部が無く、円錐台形状のものである。また、セパレータ締結具用軸は、本発明のセパレータ締結具用軸１０でもよいが、セパレータ３０を折り曲げないので、従来のセパレータ締結具用軸を使用してもよい。直交セパレータ締結具４０’の代わりに、本発明の横引き固定用のセパレータ締結具４０を使用することも可能であるが、型枠パネル５１１側の固定セパレータ締結具には、型枠パネル５１１に垂直な力しかかからないため、あえて横引き固定用のセパレータ締結具４０を使用する必要はない。
【００４４】
セパレータ３０の雄ねじ３１に直交セパレータ締結具４０’を取り付けたら、他方の型枠パネルに予め穿設された孔に直交セパレータ締結具４０’の軸を挿通し、反対側からフォームタイ２０で締め付け、固定する。その後、パイプ５２を配置し、セパレータ締結具４０のセパレータ締結具用軸１０から、他方の直交セパレータ締結具４０’の型枠パネル５１１との接触面までの長さを測り、型枠パネル５１１からその長さ分離れた位置にある型枠パネル５１４に孔を開ける。このとき、型枠パネル５１１にも孔を開けておく。
【００４５】
次に、型枠パネル５１１，５１４に開けた孔に、それぞれのセパレータ締結具用軸１０を通し、その雄ねじ１１に、型枠パネル５１１，５１４の外側からフォームタイ２０を取り付ける。このようにフォームタイ２０でセパレータ締結具４０を型枠パネル５１４に固定したら、セパレータ締結具４０の横ずれを防止するために３つある貫通孔４２に木ねじでねじ込むか、又は釘で打ちつけて固定する。
【００４６】
以上のように、セパレータ３０によって型枠パネル５１１と型枠パネル５１４が固定できたら、次に残りの型枠パネル５１を組み立てる。ここでは、向かい合った型枠パネル５１と型枠パネル５１２，５１３，５１４の間に型枠パネルに垂直になるように真直なセパレータ３０’を取り付け、型枠パネル５１，５１２，５１３，５１４の外側からフォームタイ２０を取り付ける。
【００４７】
型枠パネル５１が全て組みあがったら、型枠パネル５１，５１１，５１２，５１３，５１４の外側に一定間隔で立桟木２６を取り付ける。これと、後述する横方向のパイプ５２は、型枠パネルにコンクリートを打設したときに、コンクリートの圧力で型枠パネル５１，５１１，５１２，５１３，５１４が撓むのを防ぐためのものである。従って立桟木２６を使用せずに、図３のように、直接パイプ５２を使用する場合もある。また、型枠パネルによっては予め立桟木２６が取り付けられている場合があり、そのような場合にはこの工程は不要となる。
【００４８】
最後に、パイプ５２をパイプ締め付け座金２３と立桟木２６の間に通し、六角ナット２４を締めてしっかりと固定する。以上で型枠の組み立てが完了しコンクリートを打設する準備が整ったことになる。
【００４９】
以上の型枠組み立ての工程から分かるように、本発明のセパレータ３０及びセパレータ締結具４０を使用すれば、チェーンとターンバックルを使用することなく出隅など９０度に配置された型枠パネル相互間の固定が可能となる。
【００５０】
なお、本発明のセパレータ３０は、９０度に折り曲げるだけではなく、任意の角度に自由に折り曲げることが可能である。
【００５１】
打設されたコンクリートが固まると、六角ナット２４が緩められ、座金２３、パイプ５２及び立桟木２６が外され、フォームタイ２０を緩めて取り外す。さらに型枠パネル５１，５１１，５１２，５１３，５１４が剥がされると、コンクリートの面から雄ネジ１１が突出し、セパレータ締結具４０の底面が露出した状態となる。このとき、セパレータ締結具用軸１０の角柱１４ａ部分も露出しているので、この角柱１４ａをスパナ等で回せば、セパレータ締結具用軸１０がセパレータ３０から外れ、同時にセパレータ締結具本体４１もセパレータ締結具用軸１０と一緒に取り出すことができる。このとき、セパレータ締結具本体４１の上面４１ａが下面より小さく、セパレータ締結具本体４１の周囲に勾配が付いているので、これが抜き勾配となり、セパレータ締結具本体４１をコンクリートから取り出し易くしている。
【００５２】
また、セパレータ締結具４０からセパレータ締結具用軸１０を抜き取る場合も、円柱１４ｂ及び円柱１５に付いているテーパーが抜き勾配となり抜きやすくなっている。
【００５３】
図６は、本発明のセパレータ１３０を示す図である。図２に示す従来のセパレータ３０は、ネック部３３を有している。このネック部３３は、雄ネジ３１を転造する際に、同時に形成されるもので、このネック部３３の雄ネジ３１側端部の径が雄ネジ３１の谷径より大きくなっている。したがって、セパレータ締結具用軸１０の雌ネジ１２と雄ネジ３１が螺合するとき、このネック部３３で螺合が止まるようになる。
【００５４】
しかしながら、ネック部３３があると、セパレータ３０を曲げる場合、ネック部３３で曲がり易く、ネック部３３で曲げると、亀裂が入ったり、折損し易くなる。そのため、ネック部３３で曲がらないように、ネック部３３の長さＳ２以上の深さＳ１を有する広径部１３が必要となる。
【００５５】
これに対し、図６のセパレータ１３０では、雄ネジ１３１の基端側にネック部を形成せずに、代わりにテーパー部１３５を形成し、軸部１３２につながるようにしている。テーパー部１３５は、ネック部の底（一番細くなる部分）と同じ径から軸部１３２の径へと変化し、その軸方向の長さは１０ｍｍ程度としている。このような構成によりセパレータ１３０の引張力を低下させることなくセパレータ１３０を折り曲げ易くすることができる。また、このような構成であれば、広径部１３を浅くするか、あるいは形成しなくても、セパレータを折り曲げることが可能となる。
【００５６】
図７は、従来から使用されている別のセパレータ締結具の構造と使用状態を示す一部破断図である。このセパレータ締結具６０は、主として土木工事に使用されるものである。図３に示すプラコンと呼称されるセパレータ締結具４０が、コンクリート打設後に取り外されるのに対し、このセパレータ締結具６０は、コンクリート内に埋め込まれ、取り出されることがないタイプである。
【００５７】
セパレータ締結具６０は、上端に雌ネジ６１ａが貫通形成された筒状金具６１と、この筒状金具６１を把持する段付き円筒形状をした本体６２と、軸棒６３とから構成される。筒状金具６１は、本体６２との接触面積を増やして結合力を増加するために、中間に鍔部６１ｂを有している。本体６２は、セラミックやセメント等で形成される。図示は省略するが、筒状金具６１は円筒形なので、本体６２との間で滑って回るのを止めるための、突起等を備えている。軸棒６３は図の上端に筒状金具６１の雌ネジ６１ａと螺合する雄ネジ６３ａを有し、下端にフォームタイ２０と螺合する雄ネジ６３ｂを有する。雄ネジ６３ｂの下端は、スパナなどで軸棒６３を回転できるように、雄ネジ６３ｂを削って四角形の把持部６３ｃとしている。
【００５８】
筒状金具６１の雌ネジ６１ａの図の上端に図２に示すようなセパレータ３０を螺合し、図３で説明したのと同様に使用するが、この場合、セパレータ３０は曲げずに使用する。コンクリートを打設し、硬化したら、型枠パネル５１を取り外す。すると、コンクリートの打設面から軸棒６３が突出した状態となる。そこで、把持部６３ｃをスパナ等で掴み、回転してネジを緩めて取り外す。軸棒６３を取り出した後にできる空間６２ａには、適当なパッキングを詰め込む。
【００５９】
このようなセパレータ締結具６０は、螺合したセパレータ３０を曲げることはできない。もし、曲げると、セパレータ締結具６０が曲げ応力に耐えられずに破損してしまうからである。本発明は、このような埋め込み式のプラコンにも使用可能なセパレータ締結具用軸を提供するものである。
【００６０】
図８は、本発明の第２実施例のセパレータ締結具と、この締結具に用いる軸を示す断面図である。セパレータ締結具７０は、図の下端に大径部のある段付き筒状の本体７１と、この本体７１の図の上端にはめ込まれた第１の軸体７２と、本体７１の下部に嵌合する第２の軸体７３とで構成されている。そして、第１の軸体７２と第２の軸体７３とでセパレータ締結具用軸を構成している。
【００６１】
本体７１は、セラミック、セメント又はプラスチックからなり、これら原料が溶融状態のときに第１の軸体７２を所定の位置に挿入して成形したものである。図示しないが、第１の軸体７２には、回り止めの突起を形成しており、その内部空間は段付きの貫通孔となっている。
【００６２】
第１の軸体７２は金属製で、上端に膨大部のある筒状で、中空部は上下に貫通した雌ネジ７２ａとなっており、雌ネジ７２ａの図の上端にはセパレータ３０の軸部３２が進入可能な広径部７２ｂが形成されている。広径部７２ｂは、図１に示す広径部１３と同じものである。雌ネジ７２ａは、図の上方からセパレータ３０の雄ネジ３１が螺合し、図の下方からは、第２の軸体７３の一方の雄ネジ７３ａが螺合する。
【００６３】
図９は、第２の軸体７３の図で、（ａ）は正面図、（ｂ）は下面図、（ｃ）は上面図である。これらの図に示すように、第２の軸体７３は、円柱の一方端に第１の軸体７２の雌ネジ７２ａと螺合する雄ネジ７３ａを有し、他方端にフォームタイ２０の雌ネジ２１と螺合する雄ネジ７３ｂを有する。そして、両雄ネジ７３ａ，７３ｂの中間には、鍔部７３ｃがあり、この鍔部７３ｃの雄ネジ７３ｂ側が押圧面７３ｄとなっている。また、雄ネジ７３ｂの先端は、スパナなどの把持部７３ｅとするために、四角形に削られている。
【００６４】
図１０は、栓材７５の図で、（ａ）は上面図、（ｂ）は正面図である。この栓材７５は、セパレータ締結具７０から第２の軸体７３を取外したときできる空間を埋めるもので、ゴムや合成樹脂や木製である。栓材７５は、第２の軸体７３の鍔部７３ｃと同じ径と厚さを持つ鍔７５ａと、第１の軸体７２の外径とほぼ同じ径の中間部７５ｂと、雌ネジ７２ａの内径とほぼ同じ径の先端部７５ｃとを有する。中間部７２ｂと先端部７５ｃとの先端には面取りがされ、打ち込み易くしている。先端部７５ｃの周囲には、雌ネジ７２ａに打ち込んだとき、抜けないように先端部７５ｃに凹凸７５ｄを付けるとよい。
【００６５】
次にセパレータ３０の折り曲げ方を説明する。まず、第２の軸体７３の雄ネジ７３ｂにフォームタイ２０を螺合し、セパレータ締結具７０を枠体に固定する。図８の仮想線に示すように、真っ直ぐなセパレータ３０の先端の雄ネジ３１を、第１の軸体７２の雌ネジ７２ａに螺合する。雄ネジ３１の基端側までねじ込むと、ネック部３３によりそれ以上ねじ込むことができない状態となる。このとき、ネック部３３とこれに続く軸部３２が、広径部７２ｂ内に収容される。次に、セパレータ３０を矢印の方向に折り曲げる。このとき、押圧面７３ｄが、セパレータ３０に加わる曲げの力を受け、セパレータ３０を実線に示すような所望の角度に曲げることができる。
【００６６】
この後、図５で説明したのと同様にして枠体５１を組み立てて、コンクリートを打設する。このとき、折り曲げられたセパレータ３０に引張力が加わる。この引張力は、セパレータ締結具７０には型枠パネル５１に垂直な方向に対して傾斜した方向の力となって加わる。しかし、第２の軸体７３の押圧面７３ｄがこの斜めの力に対抗して、第２の軸７３が曲がったり、セパレータ締結具７０が破損したりしないようにすることができる。
【００６７】
コンクリートが固まったら、型枠パネル５１を外すと、第２の軸体７３の押圧面７３ｄから雄ネジ７３ｂまでがコンクリートの面から突出する。雄ネジ７３ｂの先端に形成された把持部７３ｅをスパナなどで掴んで回し、第２の軸体７３を緩めて取り外す。第２の軸体７３を取り外した後には、図１０に示す栓材７５をハンマーなどでたたき込んで埋め、コンクリートの面と同一面になるよう、平らにする。
【００６８】
図１１は、本発明のセパレータ締結具用軸の第３実施例を示す断面図である。このセパレータ締結具８０は、筒状の本体８１と、第１の軸体８２と、第２の軸体８３と、フォームタイ２０と螺合する雄ネジ軸８３ａとから構成される。このうち、第１の軸体８２と、第２の軸体８３とでセパレータ締結具用軸を構成している。
【００６９】
筒状の本体８１は、図８に示す本体７１と同様のもので、金属製の第１の軸体８２は、本体８１の成型時に一体的に形成する。第１の軸体８２は、中空部に雌ネジ８２ａが貫通形成され、雌ネジ８２ａの上端に広径部８２ｂがある。また、中間の外側には、回り止めの突起８２ｃが形成されている。
【００７０】
第２の軸体８３は、上部は第１の軸体８２と同じ径で、下部は大径部の軸本体８３ｃとなっており、その下面が押圧面８３ｄである。軸本体８３ｃは、ノックピン８３ｆで雄ネジ軸８３ａと結合し、雄ネジ軸８３ａの下端は、スパナなどの把持部８３ｅとして、四角柱形状に削られている。雄ネジ軸８３ａの図の上端側は第１の軸体８２の雌ネジ８２ａの下側に螺合し、雄ネジ軸８３ａの図の下端側は、フォームタイ２０の雌ネジ２１と螺合する。
【００７１】
このセパレータ締結具８０の使用方法は、図８の第２実施例と同じである。セパレータ３０を折り曲げる場合、押圧面８３ｄで曲げ応力に対抗することができる。この実施例では、軸本体８３ｃを金属以外の例えば、プラスチック製とすることができる。
【００７２】
コンクリートを打設後に、枠体５１を外すと、コンクリートの打設面から雄ネジ８３ａが突出する。そこで、把持部８３ｅをスパナなどで掴み、回転すると、雄ネジ８３ａと共に、軸本体８３ｃも抜け出てくる。そこで、栓材７５と同様の栓材（図示せず）をたたき込んで穴埋めをする。
【００７３】
図１２は、本発明のセパレータ締結具用軸の第４実施例を示す断面図である。このセパレータ締結具９０は、筒状の軸本体９１と、雄ネジ軸９２と、この軸本体９１の外側を覆う本体９３とから構成される。このうち、軸本体９１と雄ネジ軸９２とでセパレータ締結具用軸を構成している。
【００７４】
軸本体９１は、中空部に雌ネジ９１ａが貫通形成され、雌ネジ９１ａの上端に広径部９１ｂがある。また、中間の外側には、回り止めの突起９１ｃが形成されている。軸本体９１の図の下部は、円錐台形状の鍔部となっており、その下面、すなわち、雌ネジ９１ａの下端は径の大きな押圧面９１ｃとなっている。
【００７５】
雄ネジ軸９２は、図の上端に軸本体９１の雌ネジ９１ａと螺合する雄ネジ９２ａを有し、下端にはフォームタイ２０の雌ネジ２１と螺合する雄ネジ９２ｂがあり、中間にはやや太い径の無ネジ部分となっている。雄ネジ９２ｂの下端は、スパナなどの把持部９２ｃとして、四角柱形状に削られている。
【００７６】
この第４実施例のセパレータ締結具９０の使用方法は、第３実施例と同様である。ただし、コンクリートを打設し、型枠パネル５１を外したとき、雄ネジ軸９２を緩めて取り外すが、外れるのは雄ネジ軸９２だけである。したがって、穴埋めに使用する栓体は、雄ネジ軸９２を埋めるものであればよい。また、軸本体９１は合成樹脂製とすることも可能である。さらに、軸本体９１を本体９３と同じ大きさにすることによって、本体９３を省略することも可能となる。
【００７７】
従来、高層ビル等の建築における型枠工事においては、型枠パネル５１は使い捨てにせず、繰り返し使用している。そして、型枠パネル５１に穿設されるセパレータ締結具用軸の雄ネジ軸１１，７３ｂ，８３ａ，９２ｂが挿通される孔５１ａは、同じ孔を繰り返し使用している。そのため、繰り返し使用により、型枠パネルの孔５１ａ周辺部が、セパレータ締結具４０，７０，８０，９０の押圧によって傷み、表面がめくれたり、凹んだりして、弱くなってしまう。その結果、建枠パネルを建て込んでパイプ５２で型枠パネル５１を締め付けて固定すると、型枠パネル５１が変形して対向する型枠パネル５１に向かって膨らみ、型枠パネル５１，５１間の幅が正規の幅より段々と狭くなってくる。
【００７８】
このように型枠パネル５１が変形するのを防止するために、フォームタイ２０に下駄を履かせてからパイプ５２を取り付けて締め付け固定しているが、このような方法では、型枠パネルの変形を完全に防止することはできない。また、このように型枠パネル５１に物を当てて変形による膨らみを防止しようとすると、同じことを、型枠パネルを使用する度に行わなければならない。
【００７９】
別の解決法として、型枠パネルを１回使用したら、廃棄してしまい、常に新しい型枠パネルを使用する方法もある。しかし、その場合でも、材料代が高価になってしまう、など現実的ではない。
【００８０】
図１３，１４，１５は、補強板を使用することで、このような問題の解決を図った実施例である。図１３は、補強板の使用状態を示す断面図で、図１４は四角形の補強板の平面図、図１５（ａ）は円形の補強板の平面図である。これらの補強板１００，１１０は、厚さが１〜１．５ｍｍ程度の鋼板を、切断して形成したものである。補強板１００，１１０のほぼ中央には、孔５１ａと重なる孔１０１，１１１を穿設し、その近傍には、セパレータ締結具４０を型枠パネル５１に固定するための貫通孔４２に対応した孔１０２，１１２が穿設されている。貫通孔４２の数と、孔１０２，１１２の数とは同じ数で、重なり合うようになっている。そして、周辺には、多数の釘孔１０３，１１３が穿設されている。
【００８１】
図１５（ｂ）は、図１５（ａ）のＡ−Ａ線断面図で、厚さ方向を拡大した図である。この図に示すように、補強板１１０の中心部を厚くし、周辺部を傾斜面として徐々に薄くする構成となっている。平らな面を型枠パネル５１に接触するようにして使用する。
【００８２】
補強板１００，１１０の使用方法は、以下の通りである。まず、補強板１００，１１０の中央の孔１０１，１１１と型枠パネル５１の孔５１ａとを重ねる。同時に、セパレータ締結具４０の固定する向きを決めて、３つの貫通孔４２と補強板１００，１１０に穿設した孔１０２，１１２とが重なるようにして、補強板１００，１１０を接着剤などで型枠パネル５１に仮止めする。その後は、全ての釘孔１０３，１１３に釘を打ち込んで補強板１００，１１０を型枠パネル５１に固定する。
【００８３】
このように型枠パネル５１にセパレータ締結具４０を固定したら、図３、図４で説明したようにしてセパレータ３０を取り付けることができる。
【００８４】
なお、図示は省略するが、図１５（ｂ）のように補強板１１０の中央と周辺との厚さを変化させる代わりに、補強板を複数枚で構成し、各板の大きさを徐々に小さくする構成としても図１５（ｂ）と同様の構成となる。
【図面の簡単な説明】
【００８５】
【図１】本発明のセパレータ締結具用軸の第１実施例を示す図で、（ａ）は上面図、（ｂ）は正面図である。
【図２】セパレータの一端側を示す正面図である。
【図３】セパレータ締結具用軸の使用状態を示す一部破断図である。
【図４】セパレータ締結具本体にセパレータ締結具用軸を装着した状態の平面図である。
【図５】本発明のセパレータ締結具とセパレータ締結具用軸を型枠パネルに使用した状態を示す上面図である。
【図６】本発明のセパレータを示す図である。
【図７】従来から使用されている別のセパレータ締結具の構造と使用状態を示す一部破断図である。
【図８】本発明の第２実施例のセパレータ締結具と、この締結具に用いる軸を示す断面図である。
【図９】第２の軸体の図で、（ａ）は正面図、（ｂ）は下面図、（ｃ）は上面図である。
【図１０】栓材の図で、（ａ）は上面図、（ｂ）は正面図である。
【図１１】本発明のセパレータ締結具用軸の第３実施例を示す断面図である。
【図１２】本発明のセパレータ締結具用軸の第４実施例を示す断面図である。
【図１３】補強板の使用状態を示す断面図である。
【図１４】四角形の補強板の平面図である。
【図１５】（ａ）は円形の補強板の平面図、（ｂ）は厚さ方向を拡大した（ａ）の中央断面図である。
【符号の説明】
【００８６】
１０    セパレータ締結具用軸
１１    雄ネジ
１２    雌ネジ
１３    広径部
１４ａ  角柱
１５    円柱
２０    フォームタイ
３０    セパレータ
３１    雄ネジ
３３    ネック部
４０，７０，８０，９０    セパレータ締結具
７２    第１の軸体
７２ａ  雌ネジ
７２ｂ  広径部
７３    第２の軸体
７３ｄ  押圧面
８２    第１の軸体
８２ａ  雌ネジ
８２ｂ  広径部
８３    第２の軸体
８３ｄ  押圧面
９１    軸本体
９２    雄ネジ軸
１００，１１０  補強板
１０１，１１１  （補強板の）貫通孔
【図１】
2007126959.tif 000003
【図２】
2007126959.tif 000004
【図３】
2007126959.tif 000005
【図４】
2007126959.tif 000006
【図５】
2007126959.tif 000007
【図６】
2007126959.tif 000008
【図７】
2007126959.tif 000009
【図８】
2007126959.tif 000010
【図９】
2007126959.tif 000011
【図１０】
2007126959.tif 000012
【図１１】
2007126959.tif 000013
【図１２】
2007126959.tif 000014
【図１３】
2007126959.tif 000015
【図１４】
2007126959.tif 000016
【図１５】
2007126959.tif 000017
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
一方に締付具の雌ネジと螺合する雄ネジを有し、他端に棒状のセパレータの端部に形成された雄ネジと螺合する雌ネジを有し、該雌ネジの入口側に、前記セパレータの軸部が進入可能で、深さが５〜１０ｍｍのストレートな広径部を備えたことを特徴とするセパレータの折り曲げが可能なセパレータ締結具用軸。
【請求項２】
両端に形成された雌ネジと、一方の雌ネジの入口側に形成されてセパレータの軸部が進入可能で、深さが５〜１０ｍｍのストレートな広径部とを有する第１の軸体と、該第１の軸体の他方の雌ネジと螺合する雄ネジを一端に有し、他端に締付具の雌ネジと螺合する雄ネジを有し、両雄ネジの中間に両雄ネジより大径で型枠パネルに圧接してセパレータを曲げる際の力を受けることができる押圧面を備えた第２の軸体と、を有することを特徴とするセパレータの折り曲げが可能なセパレータ締結具用軸。
【請求項３】
両端に形成された雌ネジと、一方の雌ネジの入口側に形成されて前記セパレータの軸部が進入可能な広径部とを有する第１の軸体と、該第１の軸体の他方の雌ネジと螺合する雄ネジを一方端に有し、他方端に締付具の雌ネジと螺合する雄ネジを有する雄ネジ軸と、該雄ネジ軸と別個に形成され雄ネジ軸と一体結合し、型枠パネルに圧接してセパレータを曲げる際の力を受けることができる押圧面を有する軸本体とを備えた第２の軸体と、を有することを特徴とするセパレータの折り曲げが可能なセパレータ締結具用軸。
【請求項４】
両端に形成された雌ネジと、一方の雌ネジの入口側に形成されて前記セパレータの軸部が進入可能で、深さが５〜１０ｍｍのストレートな広径部と、他方の雌ネジの入口側に形成され、セパレータを曲げる際の力を受けることができる押圧面とを備えた軸本体と、前記他方の雌ネジと螺合する雄ネジを一端に有し、締付具の雌ネジと螺合する雄ネジを他端に有する雄ネジ軸と、を有することを特徴とするセパレータの折り曲げが可能なセパレータ締結具用軸。
【請求項５】
前記雄ネジが締付具の雌ネジと固く螺合して前記押圧面が型枠パネルに圧接することによって、型枠パネルに垂直な方向に対して交差する方向に折り曲げられたセパレータに加わる引張力に対抗可能としたことを特徴とする請求項２から４のいずれかに記載のセパレータの折り曲げが可能なセパレータ締結具用軸。
【請求項６】
請求項１から５のいずれかに記載のセパレータの折り曲げが可能なセパレータ締結具用軸を嵌装し、型枠パネルに圧接可能な押圧面を有することを特徴とするセパレータの折り曲げが可能なセパレータ締結具。
【請求項７】
軸部の先端にセパレータ締結具と螺合する雄ネジを有し、該雄ネジと前記軸部との間にテーパー部を有し、該テーパー部の前記雄ネジ側の径が細く、他方側の径は軸部の径と同じであることを特徴とするセパレータ。
【請求項８】
セパレータ締結具の締付具と螺合する雄ネジが貫通する孔を備え、該孔に前記雄ネジを貫通して締付具と堅く螺合することで前記セパレータ締結具の圧接面が圧接して固定され、繰り返し使用される型枠パネルにおいて、前記孔と重なる貫通孔と、セパレータ締結具を型枠パネルに固定するための貫通孔とを有し、前記セパレータ締結具の圧接面より大きな面積を有する補強板を、固定したことを特徴とする型枠パネル。
【手続補正２】
【補正対象書類名】明細書
【補正対象項目名】全文
【補正方法】変更
【補正の内容】
【発明の詳細な説明】
【技術分野】
【０００１】
本発明は、コンクリートの型枠を組み立てる際に使用するセパレータと、セパレータを固定するプラコン（あるいは「ピーコン」）などのセパレータ締結具と、その軸及びセパレータに関する。
【背景技術】
【０００２】
型枠形成工事においては、平行に向かい合って配置された２つの型枠パネルの間に、型枠パネル同士の間隔を所定の間隔に保持するためのセパレータを取り付けるのが一般的である。セパレータは、型枠パネルに固定されたプラコンなどのセパレータ締結具に端部が固定される。このセパレータは型枠組み立て時に型枠パネルの間隔を一定に保持するのと同時に、型枠内にコンクリートを打設した時にコンクリートの圧力で間隔が広がらないようにする役割もある。このようなセパレータは金属製の円い棒状であり、直線状であるため、対向する型枠パネル間でのみ使用可能で、出隅と呼ばれる型枠のコーナー部分など、型枠パネルが直角に配置されていたり、傾斜して配置されていたりして平行ではない型枠パネルには取りつけることができない。直角に配置された型枠パネルを固定するものとして、特許文献１（特開平９−３１７１７５号）では、チェーンとターンバックルを用いる固定方法を提案している。
【０００３】
また、一方の型枠パネルが傾斜して楔型の空間を形成する型枠パネルを固定する方法としては、特許文献２（特開２００４−１２４５７２号）の従来例の中で説明しているような、固定方法があった。これは、一方の型枠パネルに直交プラコンを取り付け、他方の型枠パネルには自在プラコンを取り付け、両プラコンの間にセパレータを架設する構成としている。自在プラコンの方は、型枠パネルとの結合が不安定になるので、キャンバを入れてセパレータと直交するように保持する。
【０００４】
しかし、特許文献１に記載のような出隅の固定方法では、チェーンやターンバックルといった余計な道具と、それを取り付けるための余計な手間が必要となっていた。すなわち、チェーンによる固定は充分な強度を得るために、１枚の型枠パネルに３ヶ所から４ヶ所行う必要があるのだが、建築物等の型枠では、出隅が複数箇所あり、さらに高さ方向に複数の型枠パネルを繋げるため、チェーンによる固定個所は全部で数十ヶ所にも及ぶ。その取り付け作業にかかる時間は、型枠組み立てにかかる全作業時間の中で大きな割合を占めており、この無駄な材料と手間が作業量及び作業時間の増加を招き、工事コストが増大する。
【０００５】
また、特許文献２の従来例にある方法では、自在プラコン、自在ワッシャやキャンバといった特殊な材料が必要となり、これが工事コストの増加につながっている。
【０００６】
そこで、特許文献２では、セパレータの雄ネジ端のそばに窪みを形成したものと、軸心の一方に厚肉部を有するプラコンを使用する構成を提案している。セパレータの雄ネジをプラコンの軸心に形成された雌ネジにねじ込み、窪みの部分で折り曲げることで、容易にセパレータを所望の角度に折り曲げて使用することができる。このような横引きプラコンと窪みのあるセパレータを使用することで、従来複雑な構成となっていた出隅などでの型枠の保持が簡単にできるようになった。
【特許文献１】特開平９−３１７１７５号公報
【特許文献２】特開２００４−１２４５７２号公報
【発明の開示】
【発明が解決しようとする課題】
【０００７】
しかしながら、特許文献２では、セパレータを任意の角度に折り曲げるために、セパレータに窪みを形成する必要がある。窪みを形成しないセパレータを折り曲げると、セパレータの雄ネジの付け根のネック部で曲がり、セパレータが破断するおそれがあるからである。
【０００８】
そのため、セパレータの製造に加えて、窪みを形成する装置と、窪みを形成する工程とが余分に必要となる。また、窪みのあるセパレータと、窪みのないセパレータとに分けておく必要もあり、セパレータの在庫管理が複雑になる。
【０００９】
また、型枠パネルは、繰り返し使用されるものであるが、同じ位置にプラコンを取り付けて使用している。そのために、繰り返し使用しているうちに、プラコンと当たる部分が摩耗したり、凹んだりして弱くなり、プラコンをセパレータで引張ると、型枠パネルの弱くなった部分が膨らみ、型枠パネル間の距離を正確に決められなくなるという問題もあった。
【００１０】
本発明は、このような事情から考えられたもので、窪みのないセパレータでも、破断することなく容易に折り曲げることができるセパレータの折り曲げが可能なセパレータ締結具と、それに使用する軸を提供しようとするものである。また、折り曲げたとき、破断しにくいセパレータを提供することを目的としている。さらに、繰り返し使用しても損傷の少ない型枠パネルを提供することを目的としている。
【課題を解決するための手段】
【００１１】
上記の目的を達成するために本発明のセパレータの折り曲げが可能なセパレータ締結具用軸は、一方に締付具の雌ネジと螺合する雄ネジを有し、他端に棒状のセパレータの端部に形成された雄ネジと螺合する雌ネジを有し、該雌ネジの入口側に、前記セパレータの軸部が進入可能で、深さが５〜１０ｍｍのストレートな広径部を備えたことを特徴とする特徴としている。
【００１２】
または、両端に形成された雌ネジと、一方の雌ネジの入口側に形成されて前記セパレータの軸部が進入可能な広径部とを有する第１の軸体と、該第１の軸体の他方の雌ネジと螺合する雄ネジを一方端に有し、他方端に締付具の雌ネジと螺合する雄ネジを有する雄ネジ軸と、該雄ネジ軸と別個に形成され雄ネジ軸と一体結合し、型枠パネルに圧接してセパレータを曲げる際の力を受けることができる押圧面を有する軸本体とを備えた第２の軸体と、を有することを特徴としている。
前記雌ネジの外側に角柱部を有し、前記広径部の外側が前記角柱より径の大きな円柱で、該円柱が、セパレータ締結具用軸の端部側で丸くなっている構成としたり、前記角柱と円柱とが、前記締付具の雌ネジと螺合する雄ネジの先端側に向かって細くなるテーパーを有する構成としたりすることができる。
【００１３】
または、  または、両端に形成された雌ネジと、一方の雌ネジの入口側に形成されてセパレータの軸部が進入可能で、深さが５〜１０ｍｍのストレートな広径部とを有する第１の軸体と、該第１の軸体の他方の雌ネジと螺合する雄ネジを一端に有し、他端に締付具の雌ネジと螺合する雄ネジを有し、両雄ネジの中間に両雄ネジより大径で型枠パネルに圧接してセパレータを曲げる際の力を受けることができる押圧面を備えた第２の軸体と、を有することを特徴としている。
している。
【００１４】
又は、両端に形成された雌ネジと、一方の雌ネジの入口側に形成されて前記セパレータの軸部が進入可能な広径部とを有する第１の軸体と、該第１の軸体の他方の雌ネジと螺合する雄ネジを一方端に有し、他方端に締付具の雌ネジと螺合する雄ネジを有する雄ネジ軸と、該雄ネジ軸と別個に形成され雄ネジ軸と一体結合し、型枠パネルに圧接してセパレータを曲げる際の力を受けることができる押圧面を有する軸本体とを備えた第２の軸体と、を有することを特徴としている。
【００１５】
又は、両端に形成された雌ネジと、一方の雌ネジの入口側に形成されて前記セパレータの軸部が進入可能で、深さが５〜１０ｍｍのストレートな広径部と、他方の雌ネジの入口側に形成され、セパレータを曲げる際の力を受けることができる押圧面とを備えた軸本体と、前記他方の雌ネジと螺合する雄ネジを一端に有し、締付具の雌ネジと螺合する雄ネジを他端に有する雄ネジ軸と、を有することを特徴としている。
【００１６】
また、前記雄ネジが締付具の雌ネジと固く螺合して前記押圧面が型枠パネルに圧接することによって、型枠パネルに垂直な方向に対して交差する方向に折り曲げられたセパレータに加わる引張力に対抗可能としたことを特徴としている。
【００１７】
本発明のセパレータの折り曲げが可能なセパレータ締結具は、前記いずれかのセパレータの折り曲げが可能なセパレータ締結具用軸を備えていることを特徴としている。
【００１８】
本発明のセパレータは、軸部の先端にセパレータ締結具と螺合する雄ネジを有し、該雄ネジと前記軸部との間にテーパー部を有し、該テーパー部の前記雄ネジ側の径が細く、他方側の径は軸部の径と同じであることを特徴としている。
【００１９】
本発明の型枠パネルは、セパレータ締結具の締付具と螺合する雄ネジが貫通する孔を備え、該孔に前記雄ネジを貫通して締付具と堅く螺合することで前記セパレータ締結具の圧接面が圧接して固定される型枠パネルにおいて、前記孔と重なる貫通孔有し、前記セパレータ締結具の圧接面より大きな面積を有する補強板を、取り付けたことを特徴としている。
【発明の効果】
【００２０】
本発明のセパレータの折り曲げが可能なセパレータ締結具用軸は、セパレータの雄ネジと螺合する雌ネジの入口側に、セパレータの軸部が進入可能で、深さが５〜１０ｍｍのストレートな広径部を備えたので、この雌ネジにセパレータの雄ネジを螺合すると、セパレータの雄ネジと共に、セパレータの軸部の先端も広径部に入る。この状態でセパレータを折り曲げると、セパレータは必ず軸部で折れ曲がるので、破断することなく折り曲げることができるという優れた効果を奏し得る。
【００２１】
セパレータの雄ネジと軸部との間にネック部がある場合でも、広径部に軸部が入るようにすることで、ネック部が曲がることを防止でき、セパレータを折り曲げたときセパレータが破断するのを防止することができる。
【００２２】
雌ネジの外側が角柱であれば、コンクリート打設後にセパレータ締結具とセパレータ締結具用軸を取り出す際に、スパナなどで回して外し易くなる。広径部の外側が円柱で、先端が丸くなっていると、打設されたコンクリートから抜き出し易い。角柱や円柱にテーパを付けることで、セパレータ締結具用軸をセパレータ締結具から外し易くなる。
【００２３】
セパレータ締結具用の軸に、大径で型枠パネルに圧接可能な押圧面を設けた構成にすると、セパレータを曲げる際の力をこの押圧面で受けることができ、厚肉部のないセパレータ締結具でもセパレータを曲げることができる。また、セパレータ締結具用軸の雄ネジに締付具の雌ネジを螺合し、固く締め付けることによって、セパレータに斜め方向の引張力が加わっても、前記の押圧面でこの斜め方向の引張力に対抗することができる。
【００２４】
先端の雄ネジとネジの無い部分との間にテーパー部を形成すると、セパレータの引張力を低下させることなくセパレータを折り曲げ易くすることができる。また、ネック部が無くなることから、セパレータを曲げても、セパレータが折損することがなくなるので、セパレータ締結具用軸に広径部を形成しなくても、セパレータを折り曲げることが可能となる。
【００２５】
プラコンなどのセパレータ締結具の雄ネジを挿通するために、型枠パネルに孔を開けるが、この型枠パネルは繰り返し使用される。そのため、型枠パネルのセパレータ締結具と接触する部分が損傷して弱くなるが、補強板を取り付けておくことで、型枠パネルの損傷を防止することができる。
なお、補強板については、型枠パネルに大きな孔を開けたとき、又は型枠パネルの表面に傷ついたときなどに、型枠パネルに張り付けて補修することができる。
【発明を実施するための最良の形態】
【００２６】
以下、本発明の実施の形態を添付図面を参照して説明する。
【００２７】
図１は本発明のセパレータ締結具用軸の第１実施例を示す図で、（ａ）は上面図、（ｂ）は正面図である。図２は、セパレータの一端側を示す正面図、図３はプラコン又はピーコンと呼称されるセパレータ締結具と、このセパレータ締結具用軸の使用状態を示す一部破断図である。
【００２８】
セパレータ締結具用軸１０は、締付具２０の雌ネジ２１に螺合する雄ネジ１１を一端に有し、他端側には、セパレータ３０の雄ネジ３１に螺合する雌ネジ１２を有する。雌ネジ１２には、セパレータ３０の軸部３２が入るストレートの広径部１３がつながり、この広径部１３がセパレータ締結具用軸１０の他端側の開口となっている。雌ネジ１２の外側は、２つに別れ、下側が六角形の角柱１４ａで、上側はテーパーが付いた円柱１４ｂである。広径部１３の外側も円柱１５で、その上端１５ｂは丸くなっている。また、円柱１５の下部１５ａには、円柱１４ｂと同じ方向で同じ角度のテーパーがついている。
【００２９】
セパレータ３０は先端に雄ネジ３１があり、この雄ネジ３１と軸部３２との間には、径の細くなったネック部３３がある。雄ネジ３１とネック部３３とは、ともに転造により形成されている。また、セパレータ３０は、軸部３２の径が同じであれば、雄ネジ３１の軸方向の長さは、どのセパレータ３０でも同じ長さになっているので、セパレータ締結具用軸１０に形成される雌ネジ１２の深さを、セパレータ３０の雄ネジ３１より若干深くして、雄ネジ３１を根本までねじ込むことができるようにする。
【００３０】
セパレータ締結具用軸１０の広径部１３の深さＳ１は、セパレータ３０のネック部３３の長さＳ２より若干長くなっている。したがって、ネック部３３は、必ず、その全体が広径部１３に収容されるようになる。セパレータ３０の軸部３２の径が７ｍｍで、ネック部３３の長さＳ２が３ｍｍの場合、広径部１３の深さＳ１は、５〜１０ｍｍ程度あればよい。５ｍｍ以下では、ネック部３３が曲がって亀裂が入ったり、破断する可能性があり、１０ｍｍを越えると、セパレータ３０を曲げるとき、セパレータ締結具用軸１０に加わる曲げモーメントが大きくなり、セパレータ締結具用軸１０を曲げてしまう可能性があるからである。
【００３１】
図４は、セパレータ締結具４０の図で、セパレータ締結具本体４１にセパレータ締結具用軸１０を装着した状態の平面図である。セパレータ締結具本体４１は、特許文献２に記載された横引き固定プラコンとほぼ同じものであり、セパレータ締結具用軸１０の中心Ｏからセパレータ締結具本体４１の端部までの距離は、左側をＬ１、右側をＬ２としたとき、Ｌ１＜Ｌ２となり、Ｌ２側が厚肉部となるようになっている。また、セパレータ締結具本体４１の円柱１４ｂが貫通する孔は、円柱１４ｂが隙間無く収容されるように、テーパーが付いている。
【００３２】
また、木ねじ用孔が、特許文献２のものは片側だけに２カ所であるが、本発明のセパレータ締結具本体４１には、中心の周りの３カ所に貫通孔４２があり、型枠パネル５１に３本の木ねじ等で固定し、セパレータ締結具４０を型枠パネル５１に強力に固定することができるようになっている。
【００３３】
次に、セパレータ３０の曲げ方を図３により説明する。なお、以下の手順は一例に過ぎず、状況により変化させたり、順序を前後させてもよい。まず、型枠パネル５１の所定の位置に孔５１ａを穿設する。セパレータ締結具本体４１にセパレータ締結具用軸１０を装着したセパレータ締結具４０を用意し、セパレータ締結具用軸１０の雄ネジ１１を孔５１ａに差し込む。そして、３カ所の貫通孔４２に木ねじを挿通し、型枠パネル５１にねじ込んで固定する。
【００３４】
次に、締付具２０の雌ネジ２１をセパレータ締結具用軸１０の雄ネジ１１に螺合し、締め付ける。これによって、セパレータ締結具４０は型枠パネル５１に強力に固定されることになる。
【００３５】
次に、型枠パネル５１を保持する成形用の丸いパイプ５２，５２を締付具２０の両側に配置し、座金２３で押さえ、雄ネジ２２に六角ナット２４を螺合し、締め付ける。
【００３６】
次に、セパレータ３０の一方端の雄ネジ３１をセパレータ締結具用軸１０の雌ネジ１２に螺合する。セパレータ３０の雄ネジ３１がねじ込まれてネック部３３が広径部１３に入ったのが確認できたら、セパレータ３０を図３に示すように曲げる。ネック部３３が広径部１３に入っているので、ネック部３３で曲がることがなく、セパレータ３０が折り曲げによって折損することはない。曲げる方向は、厚肉部Ｌ２の方に曲げると、セパレータ締結具４０の抵抗力が大きくなり、曲げ易く、セパレータ締結具４０の損傷も生じないのでよい。
【００３７】
また、セパレータ締結具用軸１０の上端の円柱１５がセパレータ締結具４０の上面４１ａより上方に突出していると、セパレータ３０を曲げ易くなる。
【００３８】
セパレータ３０の他端は、別の型枠パネルに固定されたセパレータ締結具のセパレータ締結具用軸の雌ネジと螺合して固定される。この他方側のセパレータ締結具とセパレータ締結具用軸は、本発明のセパレータ締結具４０でもよいが、従来のセパレータ締結具用軸を装着した従来のセパレータ締結具でもよい。
【００３９】
図５は、本発明のセパレータ締結具とセパレータ締結具用軸を型枠パネルに使用した状態を示す上面図である。図５で示すようなＬ型のコーナーがある型枠を組み立てる場合は、次のような手順で行う。
【００４０】
まず、型枠パネル５１４の所定の位置に孔を穿け、セパレータ締結具４０の軸１０を挿通して向きを合わせ、雄ネジ１１に締付具２０の雌ネジ２１を螺合して固定する。次に３個の貫通孔４２に木ネジまたは釘を挿通してセパレータ締結具４０を型枠パネル５１４に固定する。次に、セパレータ締結具用軸１０にセパレータ３０をねじ込み、前述したようにして折り曲げて図３に示すような形に形成する。セパレータ３０は長さの違いによって数種類あるので、目的に合った長さのセパレータ３０を使用する。通常、型枠パネル５１１と型枠パネル５１４との間には幅が６００ｍｍの型枠パネルを型枠パネル５１２，５１３のように２枚から３枚挟むように組み立てるので、セパレータ３０は２ｍ程度の長さが必要となる。このように複数枚の型枠パネルを間に挟むのは、型枠パネル５１１がセパレータ３０を引く力によって型枠パネル５１４が型枠パネル５１１の方向へ引っ張られるため、その間にある型枠パネル５１２，５１３が密着しコンクリートの漏れを防ぐことができるためである。
【００４１】
なお、セパレータ３０を曲げるためのスペースが型枠内では確保できない場合は、広い場所で別の型枠パネル等に横引きセパレータ締結具４０を固定し、ここで折り曲げておいてもよい。予め曲げておいたセパレータ３０を、型枠パネル５１４のセパレータ締結具４０に取り付けるときは、セパレータ締結具４０からセパレータ締結具用軸１０を外し、セパレータ３０の雄ネジ３１にこのセパレータ締結具用軸１０をねじ込んでからセパレータ締結具本体４１にセパレータ締結具用軸１０を装着し、その後、締付具２０を螺合すればよい。
【００４２】
セパレータの折り曲げ位置は、セパレータ３０を引っ張る力に耐えるために、できるだけセパレータ締結具４０に近いところが望ましいが、前記の折り曲げ方法によれば、必ず、セパレータ締結具４０に近い位置で折れ曲がることになる。もし、折り曲げ位置がセパレータ締結具４０から離れたところ、すなわちセパレータ３０の中央付近に形成されていると、セパレータ３０は横に引く力に耐えられずにセパレータ締結具４０の付近から折れ曲がり、型枠パネル固定の役割を果たさなくなってしまう。
【００４３】
セパレータ３０の反対側の雄ネジ３１には、従来の直交セパレータ締結具４０’をねじ込む。直交セパレータ締結具４０’は、セパレータ締結具４０においてＬ１＝Ｌ２としたもので、厚肉部が無く、円錐台形状のものである。また、セパレータ締結具用軸は、本発明のセパレータ締結具用軸１０でもよいが、セパレータ３０を折り曲げないので、従来のセパレータ締結具用軸を使用してもよい。直交セパレータ締結具４０’の代わりに、本発明の横引き固定用のセパレータ締結具４０を使用することも可能であるが、型枠パネル５１１側の固定セパレータ締結具には、型枠パネル５１１に垂直な力しかかからないため、あえて横引き固定用のセパレータ締結具４０を使用する必要はない。
【００４４】
セパレータ３０の雄ねじ３１に直交セパレータ締結具４０’を取り付けたら、他方の型枠パネルに予め穿設された孔に直交セパレータ締結具４０’の軸を挿通し、反対側から締付具２０で締め付け、固定する。その後、パイプ５２を配置し、セパレータ締結具４０のセパレータ締結具用軸１０から、他方の直交セパレータ締結具４０’の型枠パネル５１１との接触面までの長さを測り、型枠パネル５１１からその長さ分離れた位置にある型枠パネル５１４に孔を開ける。このとき、型枠パネル５１１にも孔を開けておく。
【００４５】
次に、型枠パネル５１１，５１４に開けた孔に、それぞれのセパレータ締結具用軸１０を通し、その雄ねじ１１に、型枠パネル５１１，５１４の外側から締付具２０を取り付ける。このように締付具２０でセパレータ締結具４０を型枠パネル５１４に固定したら、セパレータ締結具４０の横ずれを防止するために３つある貫通孔４２に木ねじでねじ込むか、又は釘で打ちつけて固定する。
【００４６】
以上のように、セパレータ３０によって型枠パネル５１１と型枠パネル５１４が固定できたら、次に残りの型枠パネル５１を組み立てる。ここでは、向かい合った型枠パネル５１と型枠パネル５１２，５１３，５１４の間に型枠パネルに垂直になるように真直なセパレータ３０’を取り付け、型枠パネル５１，５１２，５１３，５１４の外側から締付具２０を取り付ける。
【００４７】
型枠パネル５１が全て組みあがったら、型枠パネル５１，５１１，５１２，５１３，５１４の外側に一定間隔で立桟木２６を取り付ける。これと、後述する横方向のパイプ５２は、型枠パネルにコンクリートを打設したときに、コンクリートの圧力で型枠パネル５１，５１１，５１２，５１３，５１４が撓むのを防ぐためのものである。従って立桟木２６を使用せずに、図３のように、直接パイプ５２を使用する場合もある。また、型枠パネルによっては予め立桟木２６が取り付けられている場合があり、そのような場合にはこの工程は不要となる。
【００４８】
最後に、パイプ５２をパイプ締め付け座金２３と立桟木２６の間に通し、六角ナット２４を締めてしっかりと固定する。以上で型枠の組み立てが完了しコンクリートを打設する準備が整ったことになる。
【００４９】
以上の型枠組み立ての工程から分かるように、本発明のセパレータ３０及びセパレータ締結具４０を使用すれば、チェーンとターンバックルを使用することなく出隅など９０度に配置された型枠パネル相互間の固定が可能となる。
【００５０】
なお、本発明のセパレータ３０は、９０度に折り曲げるだけではなく、任意の角度に自由に折り曲げることが可能である。
【００５１】
打設されたコンクリートが固まると、六角ナット２４が緩められ、座金２３、パイプ５２及び立桟木２６が外され、締付具２０を緩めて取り外す。さらに型枠パネル５１，５１１，５１２，５１３，５１４が剥がされると、コンクリートの面から雄ネジ１１が突出し、セパレータ締結具４０の底面が露出した状態となる。このとき、セパレータ締結具用軸１０の角柱１４ａ部分も露出しているので、この角柱１４ａをスパナ等で回せば、セパレータ締結具用軸１０がセパレータ３０から外れ、同時にセパレータ締結具本体４１もセパレータ締結具用軸１０と一緒に取り出すことができる。このとき、セパレータ締結具本体４１の上面４１ａが下面より小さく、セパレータ締結具本体４１の周囲に勾配が付いているので、これが抜き勾配となり、セパレータ締結具本体４１をコンクリートから取り出し易くしている。
【００５２】
また、セパレータ締結具４０からセパレータ締結具用軸１０を抜き取る場合も、円柱１４ｂ及び円柱１５に付いているテーパーが抜き勾配となり抜きやすくなっている。
【００５３】
図６は、本発明のセパレータ１３０を示す図である。図２に示す従来のセパレータ３０は、ネック部３３を有している。このネック部３３は、雄ネジ３１を転造する際に、同時に形成されるもので、このネック部３３の雄ネジ３１側端部の径が雄ネジ３１の谷径より大きくなっている。したがって、セパレータ締結具用軸１０の雌ネジ１２と雄ネジ３１が螺合するとき、このネック部３３で螺合が止まるようになる。
【００５４】
しかしながら、ネック部３３があると、セパレータ３０を曲げる場合、ネック部３３で曲がり易く、ネック部３３で曲げると、亀裂が入ったり、折損し易くなる。そのため、ネック部３３で曲がらないように、ネック部３３の長さＳ２以上の深さＳ１を有する広径部１３が必要となる。
【００５５】
これに対し、図６のセパレータ１３０では、雄ネジ１３１の基端側にネック部を形成せずに、代わりにテーパー部１３５を形成し、軸部１３２につながるようにしている。テーパー部１３５は、ネック部の底（一番細くなる部分）と同じ径から軸部１３２の径へと変化し、その軸方向の長さは１０ｍｍ程度としている。このような構成によりセパレータ１３０の引張力を低下させることなくセパレータ１３０を折り曲げ易くすることができる。また、このような構成であれば、広径部１３を浅くするか、あるいは形成しなくても、セパレータを折り曲げることが可能となる。
【００５６】
図７は、従来から使用されている別のセパレータ締結具の構造と使用状態を示す一部破断図である。このセパレータ締結具６０は、主として土木工事に使用されるものである。図３に示すプラコンと呼称されるセパレータ締結具４０が、コンクリート打設後に取り外されるのに対し、このセパレータ締結具６０は、コンクリート内に埋め込まれ、取り出されることがないタイプである。
【００５７】
セパレータ締結具６０は、上端に雌ネジ６１ａが貫通形成された筒状金具６１と、この筒状金具６１を把持する段付き円筒形状をした本体６２と、軸棒６３とから構成される。筒状金具６１は、本体６２との接触面積を増やして結合力を増加するために、中間に鍔部６１ｂを有している。本体６２は、セラミックやセメント等で形成される。図示は省略するが、筒状金具６１は円筒形なので、本体６２との間で滑って回るのを止めるための、突起等を備えている。軸棒６３は図の上端に筒状金具６１の雌ネジ６１ａと螺合する雄ネジ６３ａを有し、下端に締付具２０と螺合する雄ネジ６３ｂを有する。雄ネジ６３ｂの下端は、スパナなどで軸棒６３を回転できるように、雄ネジ６３ｂを削って四角形の把持部６３ｃとしている。
【００５８】
筒状金具６１の雌ネジ６１ａの図の上端に図２に示すようなセパレータ３０を螺合し、図３で説明したのと同様に使用するが、この場合、セパレータ３０は曲げずに使用する。コンクリートを打設し、硬化したら、型枠パネル５１を取り外す。すると、コンクリートの打設面から軸棒６３が突出した状態となる。そこで、把持部６３ｃをスパナ等で掴み、回転してネジを緩めて取り外す。軸棒６３を取り出した後にできる空間６２ａには、適当なパッキングを詰め込む。
【００５９】
このようなセパレータ締結具６０は、螺合したセパレータ３０を曲げることはできない。もし、曲げると、セパレータ締結具６０が曲げ応力に耐えられずに破損してしまうからである。本発明は、このような埋め込み式のプラコンにも使用可能なセパレータ締結具用軸を提供するものである。
【００６０】
図８は、本発明の第２実施例のセパレータ締結具と、この締結具に用いる軸を示す断面図である。セパレータ締結具７０は、図の下端に大径部のある段付き筒状の本体７１と、この本体７１の図の上端にはめ込まれた第１の軸体７２と、本体７１の下部に嵌合する第２の軸体７３とで構成されている。そして、第１の軸体７２と第２の軸体７３とでセパレータ締結具用軸を構成している。
【００６１】
本体７１は、セラミック、セメント又はプラスチックからなり、これら原料が溶融状態のときに第１の軸体７２を所定の位置に挿入して成形したものである。図示しないが、第１の軸体７２には、回り止めの突起を形成しており、その内部空間は段付きの貫通孔となっている。
【００６２】
第１の軸体７２は金属製で、上端に膨大部のある筒状で、中空部は上下に貫通した雌ネジ７２ａとなっており、雌ネジ７２ａの図の上端にはセパレータ３０の軸部３２が進入可能な広径部７２ｂが形成されている。広径部７２ｂは、図１に示す広径部１３と同じものである。雌ネジ７２ａは、図の上方からセパレータ３０の雄ネジ３１が螺合し、図の下方からは、第２の軸体７３の一方の雄ネジ７３ａが螺合する。
【００６３】
図９は、第２の軸体７３の図で、（ａ）は正面図、（ｂ）は下面図、（ｃ）は上面図である。これらの図に示すように、第２の軸体７３は、円柱の一方端に第１の軸体７２の雌ネジ７２ａと螺合する雄ネジ７３ａを有し、他方端に締付具２０の雌ネジ２１と螺合する雄ネジ７３ｂを有する。そして、両雄ネジ７３ａ，７３ｂの中間には、鍔部７３ｃがあり、この鍔部７３ｃの雄ネジ７３ｂ側が押圧面７３ｄとなっている。また、雄ネジ７３ｂの先端は、スパナなどの把持部７３ｅとするために、四角形に削られている。
【００６４】
図１０は、栓材７５の図で、（ａ）は上面図、（ｂ）は正面図である。この栓材７５は、セパレータ締結具７０から第２の軸体７３を取外したときできる空間を埋めるもので、ゴムや合成樹脂や木製である。栓材７５は、第２の軸体７３の鍔部７３ｃと同じ径と厚さを持つ鍔７５ａと、第１の軸体７２の外径とほぼ同じ径の中間部７５ｂと、雌ネジ７２ａの内径とほぼ同じ径の先端部７５ｃとを有する。中間部７２ｂと先端部７５ｃとの先端には面取りがされ、打ち込み易くしている。先端部７５ｃの周囲には、雌ネジ７２ａに打ち込んだとき、抜けないように先端部７５ｃに凹凸７５ｄを付けるとよい。
【００６５】
次にセパレータ３０の折り曲げ方を説明する。まず、第２の軸体７３の雄ネジ７３ｂに締付具２０を螺合し、セパレータ締結具７０を枠体に固定する。図８の仮想線に示すように、真っ直ぐなセパレータ３０の先端の雄ネジ３１を、第１の軸体７２の雌ネジ７２ａに螺合する。雄ネジ３１の基端側までねじ込むと、ネック部３３によりそれ以上ねじ込むことができない状態となる。このとき、ネック部３３とこれに続く軸部３２が、広径部７２ｂ内に収容される。次に、セパレータ３０を矢印の方向に折り曲げる。このとき、押圧面７３ｄが、セパレータ３０に加わる曲げの力を受け、セパレータ３０を実線に示すような所望の角度に曲げることができる。
【００６６】
この後、図５で説明したのと同様にして枠体５１を組み立てて、コンクリートを打設する。このとき、折り曲げられたセパレータ３０に引張力が加わる。この引張力は、セパレータ締結具７０には型枠パネル５１に垂直な方向に対して傾斜した方向の力となって加わる。しかし、第２の軸体７３の押圧面７３ｄがこの斜めの力に対抗して、第２の軸７３が曲がったり、セパレータ締結具７０が破損したりしないようにすることができる。
【００６７】
コンクリートが固まったら、型枠パネル５１を外すと、第２の軸体７３の押圧面７３ｄから雄ネジ７３ｂまでがコンクリートの面から突出する。雄ネジ７３ｂの先端に形成された把持部７３ｅをスパナなどで掴んで回し、第２の軸体７３を緩めて取り外す。第２の軸体７３を取り外した後には、図１０に示す栓材７５をハンマーなどでたたき込んで埋め、コンクリートの面と同一面になるよう、平らにする。
【００６８】
図１１は、本発明のセパレータ締結具用軸の第３実施例を示す断面図である。このセパレータ締結具８０は、筒状の本体８１と、第１の軸体８２と、第２の軸体８３と、締付具２０と螺合する雄ネジ軸８３ａとから構成される。このうち、第１の軸体８２と、第２の軸体８３とでセパレータ締結具用軸を構成している。
【００６９】
筒状の本体８１は、図８に示す本体７１と同様のもので、金属製の第１の軸体８２は、本体８１の成型時に一体的に形成する。第１の軸体８２は、中空部に雌ネジ８２ａが貫通形成され、雌ネジ８２ａの上端に広径部８２ｂがある。また、中間の外側には、回り止めの突起８２ｃが形成されている。
【００７０】
第２の軸体８３は、上部は第１の軸体８２と同じ径で、下部は大径部の軸本体８３ｃとなっており、その下面が押圧面８３ｄである。軸本体８３ｃは、ノックピン８３ｆで雄ネジ軸８３ａと結合し、雄ネジ軸８３ａの下端は、スパナなどの把持部８３ｅとして、四角柱形状に削られている。雄ネジ軸８３ａの図の上端側は第１の軸体８２の雌ネジ８２ａの下側に螺合し、雄ネジ軸８３ａの図の下端側は、締付具２０の雌ネジ２１と螺合する。
【００７１】
このセパレータ締結具８０の使用方法は、図８の第２実施例と同じである。セパレータ３０を折り曲げる場合、押圧面８３ｄで曲げ応力に対抗することができる。この実施例では、軸本体８３ｃを金属以外の例えば、プラスチック製とすることができる。
【００７２】
コンクリートを打設後に、枠体５１を外すと、コンクリートの打設面から雄ネジ８３ａが突出する。そこで、把持部８３ｅをスパナなどで掴み、回転すると、雄ネジ８３ａと共に、軸本体８３ｃも抜け出てくる。そこで、栓材７５と同様の栓材（図示せず）をたたき込んで穴埋めをする。
【００７３】
図１２は、本発明のセパレータ締結具用軸の第４実施例を示す断面図である。このセパレータ締結具９０は、筒状の軸本体９１と、雄ネジ軸９２と、この軸本体９１の外側を覆う本体９３とから構成される。このうち、軸本体９１と雄ネジ軸９２とでセパレータ締結具用軸を構成している。
【００７４】
軸本体９１は、中空部に雌ネジ９１ａが貫通形成され、雌ネジ９１ａの上端に広径部９１ｂがある。また、中間の外側には、回り止めの突起９１ｃが形成されている。軸本体９１の図の下部は、円錐台形状の鍔部となっており、その下面、すなわち、雌ネジ９１ａの下端は径の大きな押圧面９１ｃとなっている。
【００７５】
雄ネジ軸９２は、図の上端に軸本体９１の雌ネジ９１ａと螺合する雄ネジ９２ａを有し、下端には締付具２０の雌ネジ２１と螺合する雄ネジ９２ｂがあり、中間にはやや太い径の無ネジ部分となっている。雄ネジ９２ｂの下端は、スパナなどの把持部９２ｃとして、四角柱形状に削られている。
【００７６】
この第４実施例のセパレータ締結具９０の使用方法は、第３実施例と同様である。ただし、コンクリートを打設し、型枠パネル５１を外したとき、雄ネジ軸９２を緩めて取り外すが、外れるのは雄ネジ軸９２だけである。したがって、穴埋めに使用する栓体は、雄ネジ軸９２を埋めるものであればよい。また、軸本体９１は合成樹脂製とすることも可能である。さらに、軸本体９１を本体９３と同じ大きさにすることによって、本体９３を省略することも可能となる。
【００７７】
従来、高層ビル等の建築における型枠工事においては、型枠パネル５１は使い捨てにせず、繰り返し使用している。そして、型枠パネル５１に穿設されるセパレータ締結具用軸の雄ネジ軸１１，７３ｂ，８３ａ，９２ｂが挿通される孔５１ａは、同じ孔を繰り返し使用している。そのため、繰り返し使用により、型枠パネルの孔５１ａ周辺部が、セパレータ締結具４０，７０，８０，９０の押圧によって傷み、表面がめくれたり、凹んだりして、弱くなってしまう。その結果、建枠パネルを建て込んでパイプ５２で型枠パネル５１を締め付けて固定すると、型枠パネル５１が変形して対向する型枠パネル５１に向かって膨らみ、型枠パネル５１，５１間の幅が正規の幅より段々と狭くなってくる。
【００７８】
このように型枠パネル５１が変形するのを防止するために、締付具２０に下駄を履かせてからパイプ５２を取り付けて締め付け固定しているが、このような方法では、型枠パネルの変形を完全に防止することはできない。また、このように型枠パネル５１に物を当てて変形による膨らみを防止しようとすると、同じことを、型枠パネルを使用する度に行わなければならない。
【００７９】
別の解決法として、型枠パネルを１回使用したら、廃棄してしまい、常に新しい型枠パネルを使用する方法もある。しかし、その場合でも、材料代が高価になってしまう、など現実的ではない。
【００８０】
図１３，１４，１５は、補強板を使用することで、このような問題の解決を図った実施例である。図１３は、補強板の使用状態を示す断面図で、図１４は四角形の補強板の平面図、図１５（ａ）は円形の補強板の平面図である。これらの補強板１００，１１０は、厚さが１〜１．５ｍｍ程度の鋼板を、切断して形成したものである。補強板１００，１１０のほぼ中央には、孔５１ａと重なる孔１０１，１１１を穿設し、その近傍には、セパレータ締結具４０を型枠パネル５１に固定するための貫通孔４２に対応した孔１０２，１１２が穿設されている。貫通孔４２の数と、孔１０２，１１２の数とは同じ数で、重なり合うようになっている。そして、周辺には、多数の釘孔１０３，１１３が穿設されている。
【００８１】
図１５（ｂ）は、図１５（ａ）のＡ−Ａ線断面図で、厚さ方向を拡大した図である。この図に示すように、補強板１１０の中心部を厚くし、周辺部を傾斜面として徐々に薄くする構成となっている。平らな面を型枠パネル５１に接触するようにして使用する。
【００８２】
補強板１００，１１０の使用方法は、以下の通りである。まず、補強板１００，１１０の中央の孔１０１，１１１と型枠パネル５１の孔５１ａとを重ねる。同時に、セパレータ締結具４０の固定する向きを決めて、３つの貫通孔４２と補強板１００，１１０に穿設した孔１０２，１１２とが重なるようにして、補強板１００，１１０を接着剤などで型枠パネル５１に仮止めする。その後は、全ての釘孔１０３，１１３に釘を打ち込んで補強板１００，１１０を型枠パネル５１に固定する。
【００８３】
このように型枠パネル５１にセパレータ締結具４０を固定したら、図３、図４で説明したようにしてセパレータ３０を取り付けることができる。
【００８４】
なお、図示は省略するが、図１５（ｂ）のように補強板１１０の中央と周辺との厚さを変化させる代わりに、補強板を複数枚で構成し、各板の大きさを徐々に小さくする構成としても図１５（ｂ）と同様の構成となる。
【図面の簡単な説明】
【００８５】
【図１】本発明のセパレータ締結具用軸の第１実施例を示す図で、（ａ）は上面図、（ｂ）は正面図である。
【図２】セパレータの一端側を示す正面図である。
【図３】セパレータ締結具用軸の使用状態を示す一部破断図である。
【図４】セパレータ締結具本体にセパレータ締結具用軸を装着した状態の平面図である。
【図５】本発明のセパレータ締結具とセパレータ締結具用軸を型枠パネルに使用した状態を示す上面図である。
【図６】本発明のセパレータを示す図である。
【図７】従来から使用されている別のセパレータ締結具の構造と使用状態を示す一部破断図である。
【図８】本発明の第２実施例のセパレータ締結具と、この締結具に用いる軸を示す断面図である。
【図９】第２の軸体の図で、（ａ）は正面図、（ｂ）は下面図、（ｃ）は上面図である。
【図１０】栓材の図で、（ａ）は上面図、（ｂ）は正面図である。
【図１１】本発明のセパレータ締結具用軸の第３実施例を示す断面図である。
【図１２】本発明のセパレータ締結具用軸の第４実施例を示す断面図である。
【図１３】補強板の使用状態を示す断面図である。
【図１４】四角形の補強板の平面図である。
【図１５】（ａ）は円形の補強板の平面図、（ｂ）は厚さ方向を拡大した（ａ）の中央断面図である。
【符号の説明】
【００８６】
１０    セパレータ締結具用軸
１１    雄ネジ
１２    雌ネジ
１３    広径部
１４ａ  角柱
１５    円柱
２０    締付具
３０    セパレータ
３１    雄ネジ
３３    ネック部
４０，７０，８０，９０    セパレータ締結具
７２    第１の軸体
７２ａ  雌ネジ
７２ｂ  広径部
７３    第２の軸体
７３ｄ  押圧面
８２    第１の軸体
８２ａ  雌ネジ
８２ｂ  広径部
８３    第２の軸体
８３ｄ  押圧面
９１    軸本体
９２    雄ネジ軸
１００，１１０  補強板
１０１，１１１  （補強板の）貫通孔